(57)【要約】【課題】節水性能は確保しつつも、排水横枝管内における尿石の発生を抑制することが可能な小便器を提供すること。【解決手段】この小便器は、トラップ部ＴＰは、封水を形成するために水を溜める溜水部ＴＰｓｕと溜水部ＴＰｓｗとを有し、溜水部ＴＰｓｕと溜水部ＴＰｓｗとは流路に沿って並行するように形成されており、溜水部ＴＰｓｕは、ボウル部が受けた尿Ｕｒが流入して下流側へと流出し、ボウル部に供給された洗浄水Ｗｆも流入して下流側へと流出するように構成され、溜水部ＴＰｓｗは、ボウル部が受けた尿流が溜水部ＴＰｓｕに比較して流入し難い一方で、ボウル部に供給された洗浄水Ｗｆは流入して下流側へと流出するように構成されている。【選択図】図７
2011252337.tif 000002
【特許請求の範囲】
【請求項１】
トイレに設置され、器具排水管によって排水横枝管に接続される小便器であって、
尿流を受けるボウル部と、このボウル部の底部に開口した排水口と、この排水口に連通し封水を形成するトラップ部と、を有する小便器本体と、
前記ボウル部に洗浄水を供給するための給水手段と、を備え、
前記トラップ部は、封水を形成するために水を溜める第一溜水領域と第二溜水領域とを有し、
前記第一溜水領域と前記第二溜水領域とは流路に沿って並行するように形成されており、
前記第一溜水領域は、前記ボウル部が受けた尿が流入して下流側へと流出し、前記ボウル部に供給された洗浄水も流入して下流側へと流出するように構成され、
前記第二溜水領域は、前記ボウル部が受けた尿流が前記第一溜水領域に比較して流入し難い一方で、前記ボウル部に供給された洗浄水は流入して下流側へと流出するように構成されていることを特徴とする小便器。
【請求項２】
前記給水手段から前記ボウル部に洗浄水が供給される場合に、前記第一溜水領域から下流側に排出される瞬間排水量よりも、前記第二溜水領域から下流側に排出される瞬間排水量が上回るように、前記第一溜水領域及び前記第二溜水領域が形成されていることを特徴とする請求項１に記載の小便器。
【請求項３】
前記第一溜水領域に供給される瞬間給水量よりも前記第二領域に供給される瞬間給水量が上回るように、前記第一溜水領域及び前記第二溜水領域が形成されていることを特徴とする請求項２に記載の小便器。
【請求項４】
前記トラップ部は、前記第一溜水領域に繋がる第一流入口と前記第二溜水領域に繋がる第二流入口とを有し、
前記第一流入口は、前記ボウル部が受けた尿流が流入し、前記ボウル部に供給された洗浄水も流入する位置に形成され、
前記第二流入口は、前記ボウル部が受けた尿流が前記第一溜水領域に比較して流入し難い一方で、前記ボウル部に供給された洗浄水は流入する位置に形成されていることを特徴とする請求項１に記載の小便器。
【請求項５】
前記第一流入口が前記第二流入口よりも使用者側から見て前記ボウル部側に形成されていることを特徴とする請求項４に記載の小便器。
【請求項６】
前記第一流入口が前記第二流入口よりも使用者側から前記ボウル部側を見た場合の幅方向中央側に形成されていることを特徴とする請求項４に記載の小便器。
【請求項７】
前記給水手段から前記ボウル部に洗浄水が供給される場合に、前記第一溜水領域から下流側に排出される排水よりも、前記第二溜水領域から下流側に排出される排水が先に送り出されるように、前記第一溜水領域及び前記第二溜水領域が形成されていることを特徴とする請求項１に記載の小便器。
【発明の詳細な説明】
【技術分野】
【０００１】
本発明は、トイレに設置され、器具排水管によって排水横枝管に接続される小便器に関する。
【背景技術】
【０００２】
公共の男性用トイレでは、大便器とは別に小便器が設置されている。大便器とは独立させて小便器を設ける場所は公共の男性用トイレに限らず、住宅のトイレにおいてもそのような設置態様が採用されている。
【０００３】
このような小便器の一例が下記特許文献１に開示されている。下記特許文献１の図１〜図５に示されているように、小便器は、ボウル部と、ボウル部の底部に配置された排水口と、この排水口に連通するトラップと、このトラップ末端から排水配管に連結される出口管と、を有している。ボウル部は、このボウル部を構成するボウル部壁面と、このボウル部壁面の周囲を取り囲む外側壁面と、ボウル部壁面の上端から前方にほぼ水平方向に延びる上部壁面と、を有している。
【０００４】
排水口は、ボウル部の底部に開口しており、概ねＵ字型のトラップに続いている。小便器のトラップ内には所定量の溜水があり、結果として所定の高さまで封水が溜まっている。出口管は、トラップの後部に連通し、ほぼ水平方向且つ後方に延びている。小便器を設置する際には、出口管は、小便器を設置する壁面に設けられた排水配管（小便器と更に下流側の排水配管である排水横枝管とを繋ぐ排水管であって、以下器具排水管ともいう）に、パッキンを介して接続される。器具排水管は、更に下流側の排水配管（以下、排水横枝管ともいう）に接続されている。
【０００５】
このような小便器は、特に公共のトイレにおいて複数並べて設置されることが多い。下記特許文献２に開示されているように、複数の小便器が並べて設置される場合、一つの排水横枝管の上流側から下流側に向かって順に小便器からの器具排水管が接続される。
【先行技術文献】
【特許文献】
【０００６】
【特許文献１】特開２００５−２９０７１８号公報
【特許文献２】特開２００７−３２１３７１号公報
【発明の概要】
【発明が解決しようとする課題】
【０００７】
上述した小便器のトラップは、概ねＵ字型のトラップに所定量の水が溜められて溜水となっており、この溜水によって所定の高さまでの封水が確保されている。小便器を使用して排尿を行うと、トラップ内に尿が流れ込み、流れ込んだ尿によって溜水の一部が排出され、トラップ内は尿と水とが混在した状態となる。排尿後にボウル部に洗浄水を流すとその洗浄水がトラップ内に流れ込み、尿と水とが混在した状態の液体を排出させ置換することでトラップ内を洗浄する。
【０００８】
このようにボウル部に洗浄水を流してトラップ内の尿を水に置換するにあたっては、置換後の状態すなわち洗浄後の状態において、トラップ内に残存する尿が可能な限り少なくなることが好ましいものである。しかしながら、置換率を上げてトラップ内の尿の略全量を水によって置換しようとすれば、トラップ内の溜水量に対して供給する洗浄水量を増やす必要がある。
【０００９】
一方、近年の環境意識の高まりを受けて、節水志向も更に高まっており、洗浄水の量は極力少なくすることが求められている。この節水に対するニーズと上述した置換率の向上に対するニーズとを両立させるためには、溜水量を少なくすることが有効であると本発明者らは考えた。そこで本発明者らは、溜水量を少なくしたトラップを試作し、実際に小便器に取り付けた場合にどのような事象が発生するかを検証した。
【００１０】
その検証の結果、ボウル部に流す洗浄水の水量を減少させてもトラップの置換率を向上させることができ、トラップ内に残存する尿を十分に減少させることに成功した。ところが、公共の男性用トイレを想定し、小便器を複数個連続して配置すると、排水横引管に尿石が形成されやすくなっていることを発見した。具体的には、節水しながらトラップの置換率を上げた小便器を連続して配置し、それら連続して配置した小便器から一つの排水横枝管に排水を流すように配置した。このように配置し、通常の使用状態のもとで実使用試験を行うと、排水横枝管において発生する尿石が従前に比較して増えていることが判明した。
【００１１】
尿石の増加の直接的な原因は、排水横枝管内に小便器から流し込まれた尿が、そのままの状態か高い尿濃度の液体の状態で残存し、その残存した尿成分に起因して尿石が発生することである。具体的には、尿中に含まれる尿素がバクテリアによって分解され、アンモニアが発生し、そのアンモニアによりｐＨが高まり、尿中や洗浄水に含まれるカルシウムイオンが結晶化したカルシウム化合物として配管の内部に付着して尿石が発生することであると考えられる。しかしながら、本発明者らは上述したようにトラップの溜水量を少なくし、その少なくした溜水量に見合った洗浄水を供給する小便器によって検証を行っている。従って、トラップ内に残存する尿を置換するのに十分な洗浄水を供給しているのであるから、その洗浄水と共に渾然一体となった尿が排水横枝管から流れていけば、排水横枝管に尿濃度の高い液体の状態（尿がそのままの状態を含む）で残存することは想定し難いものである。
【００１２】
そこで本発明者らは、洗浄水と尿とが渾然一体となって排水横枝管に流れて行っていないのではないかと仮定して更なる検討を行った。溜水量を少なくしたトラップでは、排尿直後のトラップの尿濃度は従来のものに比較して高くなっている。一方で、小便器のボウル部に流す洗浄水の水量を従来に比較して少なくしたとしても、洗浄水をボウル部に広げて流す必要性から一定の水量は確保する必要がある。そのため、排尿後にボウル部に十分広がる程度の洗浄水を流すと、トラップ内の尿濃度の高い液体が洗浄水によって押し出され、排水横枝管に流れ込むことになる。小便器の設置態様を考慮すれば、排水横枝管の途中に小便器に繋がる器具排水管が繋がれていることから、最初に流れてくる液体の一部は上流側に一旦流れて、その後下流側に戻ってくるのではないかと本発明者らは考えた。
【００１３】
上述したように溜水量を少なくしたトラップでは、最初に流れてくる液体は尿濃度の高い液体であるから、その後に洗浄水が流れてきたとしても、上流側に流れた尿濃度の高い液体が下流側に戻ってくる前に洗浄水は流れ去ってしまうのではないかと本発明者らは考えた。このような現象が起こっているのであれば、尿濃度の高い液体は尿濃度が高い状態で排水横枝管内に残存しやすくなり、尿石の発生に繋がっているものと思われる。このような排水横枝管内における尿濃度の高い液体の残存現象を回避するために、洗浄水量を増やすことも考えられる。しかしながら、そのように洗浄水量を増やすことは、そもそもの目的である節水性能に優れた小便器を提供することに反するため採用できるものではない。
【００１４】
本発明はこのような課題に鑑みてなされたものであり、その目的は、節水性能は確保しつつも、排水横枝管内における尿石の発生を抑制することが可能な小便器を提供することにある。
【課題を解決するための手段】
【００１５】
上記課題を解決するために本発明に係る小便器は、トイレに設置され、器具排水管によって排水横枝管に接続される小便器であって、尿流を受けるボウル部と、このボウル部の底部に開口した排水口と、この排水口に連通し封水を形成するトラップ部と、を有する小便器本体と、前記ボウル部に洗浄水を供給するための給水手段と、を備えている。前記トラップ部は、封水を形成するために水を溜める第一溜水領域と第二溜水領域とを有し、前記第一溜水領域と前記第二溜水領域とは流路に沿って並行するように形成されており、前記第一溜水領域は、前記ボウル部が受けた尿が流入して下流側へと流出し、前記ボウル部に供給された洗浄水も流入して下流側へと流出するように構成され、前記第二溜水領域は、前記ボウル部が受けた尿流が前記第一溜水領域に比較して流入し難い一方で、前記ボウル部に供給された洗浄水は流入して下流側へと流出するように構成されている。
【００１６】
本発明に係る小便器では、トラップ部に封水を形成するために水を溜める第一溜水領域と第二溜水領域とを形成しているので、ボウル部からトラップ部に流れ込む尿や洗浄水を第一溜水領域と第二溜水領域とで受け入れることができる。
【００１７】
第一溜水領域はボウル部が受けた尿が流入するように構成されている一方で、第二溜水領域はボウル部が受けた尿が第一溜水領域に比較して流入し難いように構成されているので、ボウル部が受けた尿流の大部分若しくは全てが第一溜水領域に溜められる。第一溜水領域は、ボウル部が受けた尿流の大部分が流入し、その流入した尿は下流側へと流出するように構成されているので、流入する尿の総量が第一溜水領域の溜水量を上回っても第二溜水領域に流れ込みにくいように構成することができる。
【００１８】
第二溜水領域は、ボウル部が受けた尿も流入し難いように構成されると共に、第一溜水領域に流入した尿が流れ込みにくいようにも構成されているので、ボウル部に供給された洗浄水が流入してそのまま下流側へと流出するように構成されている。
【００１９】
よって本発明に係る小便器では、尿が主に溜められる第一溜水領域と洗浄水が主に溜められる第二溜水領域とを分離することで、トラップ部全体の溜水量を低減させても尿と洗浄水とを並存させて溜めることが可能になる。このように尿と洗浄水とを並存させて溜めることで、排尿後にボウル部に洗浄水を供給すると、第一溜水領域から流出する尿と第二溜水領域から流出する洗浄水とが排水横枝管に至る前に混ぜ合わされる。従って、排水横枝管に流れ込む排水の初期段階から尿濃度を抑制することができ、節水性能は確保しつつも、排水横枝管内における尿石の発生を抑制することが可能な小便器を提供することができる。
【００２０】
また本発明に係る小便器では、前記給水手段から前記ボウル部に洗浄水が供給される場合に、前記第一溜水領域から下流側に排出される瞬間排水量よりも、前記第二溜水領域から下流側に排出される瞬間排水量が上回るように、前記第一溜水領域及び前記第二溜水領域が形成されていることも好ましい。
【００２１】
この好ましい態様によれば、ボウル部に洗浄水が供給されてトラップ部に流入すると、第一溜水領域から下流側に排出される瞬間排水量よりも、第二溜水領域から下流側に排出される瞬間排水量が上回るように構成されている。従って、第一溜水領域から下流側に流出する尿の瞬間流量よりも、第二溜水領域から下流側に流出する洗浄水の瞬間流量を十分に多くすることができ、尿濃度を十分に低減した排水を排水横枝管に流入させることができる。
【００２２】
また本発明に係る小便器では、前記第一溜水領域に供給される瞬間給水量よりも前記第二領域に供給される瞬間給水量が上回るように、前記第一溜水領域及び前記第二溜水領域が形成されていることも好ましい。
【００２３】
この好ましい態様によれば、第一溜水領域に供給される瞬間給水量よりも第二領域に供給される瞬間給水量が上回るように、第一溜水領域及び第二溜水領域が形成されているので、瞬間給水量に差が生じるように構成するという簡単な手法で瞬間排水量の差を生じさせることができる。
【００２４】
また本発明に係る小便器では、前記トラップ部は、前記第一溜水領域に繋がる第一流入口と前記第二溜水領域に繋がる第二流入口とを有し、前記第一流入口は、前記ボウル部が受けた尿流が流入し、前記ボウル部に供給された洗浄水も流入する位置に形成され、前記第二流入口は、前記ボウル部が受けた尿流が前記第一溜水領域に比較して流入し難い一方で、前記ボウル部に供給された洗浄水は流入する位置に形成されていることも好ましい。
【００２５】
この好ましい態様によれば、第一溜水領域に繋がる第一流入口はボウル部が受けた尿流が流入すると共に洗浄水も流入する位置に形成されているので、第一流入口の形成位置を工夫することによって容易に、第一溜水領域を尿が流入しやすい領域とすることができる。また、第二溜水領域に繋がる第二流入口はボウル部が受けた尿流が流入し難い一方で洗浄水は流入する位置に形成されているので、第二流入口の形成位置を工夫することによって容易に、第二溜水領域を尿が流入し難い領域とすることができる。従って、第一流入口及び第二流入口の形成位置を工夫するという簡単な手法で、第一溜水領域を尿が流入しやすい領域とする一方で第二溜水領域を尿が流入し難い領域とすることができる。
【００２６】
また本発明に係る小便器では、前記第一流入口が前記第二流入口よりも使用者側から見て前記ボウル部側に形成されていることも好ましい。
【００２７】
この好ましい態様によれば、第一流入口が第二流入口よりも使用者側から見てボウル部側に形成されているので、ボウル部側から流れる液体を流入させやすい位置に第一流入口を形成することができる。従って、ボウル部を伝って流れ落ちる尿を第一流入口に流入させやすくなる。このように、第一流入口をボウル部側に形成するという簡単な手法で、第一溜水領域を尿が流入しやすい領域とする一方で第二溜水領域を尿が流入し難い領域とすることができる。
【００２８】
また本発明に係る小便器では、前記第一流入口が前記第二流入口よりも使用者側から前記ボウル部側を見た場合の幅方向中央側に形成されていることも好ましい。
【００２９】
使用者は排尿時にボウル部の正面中央に立って、ボウル部の中央近傍に向かって排尿する。従ってボウル部の中央近傍では多くの尿流を受け止めることになり、その尿がボウル部の表面を伝って下方へ流れる。そこでこの好ましい態様では、尿が流れ込みやすい幅方向中央側に第一流入口を形成することで、確実に尿を第一流入口へと導くように構成している。このように構成することで、第二流入口には尿が流れ込みにくい一方で第一流入口には尿を流れ込みやすくすることができ、第二溜水部の尿濃度の上昇を抑制することができる。
【００３０】
また本発明に係る小便器では、前記給水手段から前記ボウル部に洗浄水が供給される場合に、前記第一溜水領域から下流側に排出される排水よりも、前記第二溜水領域から下流側に排出される排水が先に送り出されるように、前記第一溜水領域及び前記第二溜水領域が形成されていることも好ましい。
【００３１】
この好ましい態様によれば、第一溜水領域から下流側に排出される排水よりも、第二溜水領域から下流側に排出される排水が先に送り出されるので、第一溜水領域から流出する尿を第二溜水領域から流出する洗浄水によって確実に希釈しながら排水横枝管に流すことができる。
【発明の効果】
【００３２】
本発明によれば、節水性能は確保しつつも、排水横枝管内における尿石の発生を抑制することが可能な小便器を提供することができる。
【図面の簡単な説明】
【００３３】
【図１】本発明の実施形態である小便器を示す断面図である。
【図２】図１に示す給水ユニットの機能的な構成を示すブロック図である。
【図３】図１に示すトラップ部を示す概略図である。
【図４】図２に示す人感センサー及び制御部の挙動を示すタイミングチャートである。
【図５】図１に示す小便器に排尿した場合の、トラップ部の様子を示す概略図である。
【図６】図１に示す小便器に排尿した場合の、図１に示す小便器に繋がっている器具排水管及び排水横枝管の内部の様子を示す概略図である。
【図７】図５に示す状況から洗浄水を流した場合の、トラップ部の様子を示す概略図である。
【図８】図５に示す状況から洗浄水を流した場合の、器具排水管及び排水横枝管の内部の様子を示す概略図である。
【図９】本実施形態の第一変形例としてのトラップ部を示す概略斜視図である。
【図１０】図９の矢印Ｇ方向から見たトラップ部を示す概略平面図である。
【図１１】図１０のＩ−Ｉ断面を示す概略断面図である。
【図１２】本実施形態の第二変形例としてのトラップ部を示す概略斜視図である。
【図１３】図１２に示すトラップ部を組み込んだ小便器を示す概略斜視図である。
【発明を実施するための形態】
【００３４】
以下、添付図面を参照しながら本発明の実施の形態について説明する。説明の理解を容易にするため、各図面において同一の構成要素に対しては可能な限り同一の符号を付して、重複する説明は省略する。
【００３５】
本発明の実施形態である小便器について図１を参照しながら説明する。図１は、本発明の実施形態である小便器ＵＳを示す断面図である。図１に示されるように、小便器ＵＳは、給水ユニット１０と、小便器本体２０と、給水管３０，３１（給水手段）と、スプレッダー３５と、トラップ部ＴＰとを備えている。小便器本体２０及び給水ユニット１０は、建築躯体の壁面ＷＬに取り付けられている。
【００３６】
小便器本体２０は、ボウル部２０１を備えている。ボウル部２０１は、小便器本体２０の使用者からの尿流を受け止める部分である。使用者から放たれた尿流は、ボウル部２０１後方のボウル壁面２０２に当たって下方に流れる。下方に流れた尿流は、ボウル部２０１の底部に開口した排水口２０３からトラップ部ＴＰへと流れる。排水口２０３には目皿２０４が配置されている。
【００３７】
ボウル部２０１の後方であって壁面ＷＬ側のボウル壁面２０２上部には、スプレッダー３５が取り付けられている。スプレッダー３５には給水管３１が繋がれていて、給水管３１から供給される洗浄水を放出するように構成されている。スプレッダー３５が放出する洗浄水は、ボウル壁面２０２に沿って幅方向（図１の紙面を貫く方向）に広がってボウル壁面２０２を洗浄する。ボウル壁面２０２を洗浄した洗浄水は、ボウル部２０１の底部に開口した排水口２０３からトラップ部ＴＰへと流れる。
【００３８】
給水管３１は、小便器本体２０内に配置されている給水管である。給水管３１の上流側には給水管３０が繋がれている。給水管３０は、小便器本体２０と給水ユニット１０とを繋ぐ給水管である。給水ユニット１０は、建築側給水管４０に繋がれている。建築側給水管４０は、壁面ＷＬの裏面側に配置されており、給水源から水を供給し給水ユニット１０に送り出している。給水ユニット１０の構成については後述する。
【００３９】
小便器本体２０の排水口２０３に連通して封水を形成するように、トラップ部ＴＰが配置されている。トラップ部ＴＰは封水を形成すると共に、排水口２０３から流れ込む尿や洗浄水を排水として器具排水管５０側に送り出している。器具排水管５０は、壁面ＷＬの裏面側に配置されており、尿や洗浄水を含む排水を更に下流側へと搬送している。トラップ部ＴＰの構成については後述する。
【００４０】
続いて、図２を参照しながら給水ユニット１０について説明する。図２は、給水ユニット１０の機能的な構成を示すブロック図である。図２に示されるように、給水ユニット１０は、人感センサー１０１と、制御手段としての制御部１０２（制御手段）と、調整手段としての電磁弁１０３とを備えている。
【００４１】
人感センサー１０１は、小便器ＵＳを使用する使用者が、小便器本体２０の前に立ったことを検知するためのセンサーである。人感センサー１０１としては、赤外線センサーやドップラーセンサーといったセンサーが適宜用いられる。人感センサー１０１は、使用者の検知結果を制御部１０２に出力する。
【００４２】
制御部１０２は、人感センサー１０１の検知結果に基づいて、使用者の排尿を洗浄するように所定のタイミングで、電磁弁１０３を所定の開度に開いたり閉じたりするための制御信号を出力する。制御部１０２が出力する制御信号の具体例については後述する。
【００４３】
電磁弁１０３は、建築側給水管４０と給水管３０との間に設けられている。電磁弁１０３が閉じられていると、建築側給水管４０から供給される水は給水管３０に流れないように止水される。電磁弁１０３が開いていると、建築側給水管４０から供給される水は、電磁弁１０３の開度に応じた瞬間流量（電磁弁１０３近傍の管路を通過する際の瞬間流量（ｍ3／ｓ））で給水管３０に流れる。
【００４４】
続いて、図３を参照しながらトラップ部ＴＰについて説明する。図３は、トラップ部ＴＰを示す概略図である。図３に示されるように、トラップ部ＴＰは、流路断面積が大きい外側の流路と、流路断面積が小さい内側の流路とを備えている。外側の流路は上流側から順に、上流接続部ＴＰａｗと、上流封水部ＴＰｂｗと、底部ＴＰｃｗと、下流封水部ＴＰｄｗと、下流あふれ部ＴＰｅｗとを備えている。内側の流路は上流側から順に、上流接続部ＴＰａｕと、上流封水部ＴＰｂｕと、底部ＴＰｃｕと、下流封水部ＴＰｄｕと、下流あふれ部ＴＰｅｕとを備えている。
【００４５】
まず外側の流路について説明する。上流接続部ＴＰａｗは、ボウル部２０１の排水口２０３に繋がる部分である。矢印Ａの上流側に排水口２０３が繋がっており、ボウル部２０１から排水口２０３に流れ込んだ尿や洗浄水は矢印Ａに沿って上流接続部ＴＰａｗに流れ込む。
【００４６】
上流封水部ＴＰｂｗ、底部ＴＰｃｗ、及び下流封水部ＴＰｄｗは、水が溜まるようにＵ字状を成すように形成されている。上流接続部ＴＰａｗから流れ込んだ水は、下流あふれ部ＴＰｅｗの下側内壁面であるウェアＷｗよりも下側に溜まるように構成されている。封水深Ｗｄｗは、ウェアＷｗと、底部ＴＰｃｗの上側内壁面であるディップＤｗとの間の鉛直方向の長さである。従って、上流封水部ＴＰｂｗに溜まる上流封水ＷＳ１ｗと、下流封水部ＴＰｄｗに溜まる下流封水ＷＳ３ｗとによって封水が形成されている。
【００４７】
本明細書では、底部ＴＰｃｗに溜まる底溜水ＷＳ２ｗと、上流封水ＷＳ１ｗ及び下流封水ＷＳ３ｗとを合わせて、トラップ部ＴＰの外側流路における溜水Ｗｓｗとしている。また、この溜水Ｗｓｗを溜める部分である、上流封水部ＴＰｂｗと底部ＴＰｃｗと下流封水部ＴＰｄｗとによって溜水部ＴＰｓｗ（第二溜水領域）を形成している。本実施形態において、溜水Ｗｓｗの水量は、約７５ｍＬとなるように形成されている。
【００４８】
続いて、内側の流路について説明する。上流接続部ＴＰａｕは、ボウル部２０１の排水口２０３に繋がる部分である。矢印Ａの上流側に排水口２０３が繋がっており、ボウル部２０１から排水口２０３に流れ込んだ尿や洗浄水は矢印Ａに沿って上流接続部ＴＰａｕに流れ込む。
【００４９】
上流封水部ＴＰｂｕ、底部ＴＰｃｕ、及び下流封水部ＴＰｄｕは、水が溜まるようにＵ字状を成すように形成されている。上流接続部ＴＰａｕから流れ込んだ水は、下流あふれ部ＴＰｅｕの下側内壁面であるウェアＷｕよりも下側に溜まるように構成されている。封水深Ｗｄｕは、ウェアＷｕと、底部ＴＰｃｕの上側内壁面であるディップＤｕとの間の鉛直方向の長さである。従って、上流封水部ＴＰｂｕに溜まる上流封水ＷＳ１ｕと、下流封水部ＴＰｄｕに溜まる下流封水ＷＳ３ｕとによって封水が形成されている。
【００５０】
本明細書では、底部ＴＰｃｕに溜まる底溜水ＷＳ２ｕと、上流封水ＷＳ１ｕ及び下流封水ＷＳ３ｕとを合わせて、トラップ部ＴＰの内側流路における溜水Ｗｓｕとしている。また、この溜水Ｗｓｕを溜める部分である、上流封水部ＴＰｂｕと底部ＴＰｃｕと下流封水部ＴＰｄｕとによって溜水部ＴＰｓｕ（第一溜水領域）を形成している。本実施形態において、溜水Ｗｓｕの水量は、約２５ｍＬとなるように形成されている。
【００５１】
本実施形態において溜水Ｗｓｗと溜水Ｗｓｕとの総量は約１００ｍＬとなるように形成されており、０．５Ｌ程度の少水量でも洗浄が可能となっている。尚、節水型ではない通常のタイプのトラップでは、溜水量が約４００〜６００ｍＬであり、洗浄水量は約１．４Ｌであるので、本実施形態のトラップ部ＴＰは極めて節水性が向上したものとなっている。尚、本実施形態ではＵ字型のトラップをトラップ部ＴＰとして採用したけれども、上述した機能を果たす限りその他の形態のトラップを採用することも好ましいものである（変形例の詳細は後述する）。
【００５２】
続いて、図４を参照しながら、制御部１０２が出力する制御信号の具体例について説明する。図４は、人感センサー１０１及び制御部１０２の挙動を示すタイミングチャートである。図４の（Ａ）は、人感センサー１０１から制御部１０２に出力される検知信号を示し、図４の（Ｂ）は、制御部１０２から電磁弁１０３に出力される制御信号を示している。
【００５３】
図４の（Ａ）に示されているように、人感センサー１０１からは、時刻ｔ１から時刻ｔ２にかけて使用者が小便器本体２０の前に立っていることを示す検知信号が出力されている。時刻ｔ２を過ぎると検知信号が出力されなくなるので、制御部１０２は排尿が終わって使用者が立ち去ったと判断する。図４の（Ｂ）に示されているように、制御部１０２は、時刻ｔ３から時刻ｔ４にかけて電磁弁１０３を全開するための制御信号「１」を出力する。
【００５４】
このような制御を行った場合、トラップ部ＴＰやその下流の配管内がどのようになっているかについて、図５〜図８を参照しながら説明する。図５は、小便器ＵＳに排尿した場合の、トラップ部ＴＰの様子を示す概略図である。図６は、小便器ＵＳに排尿した場合の、小便器ＵＳに繋がっている器具排水管５０及び排水横枝管５１の内部の様子を示す概略図である。図７は、図５に示す状況から洗浄水を流した場合の、トラップ部ＴＰの様子を示す概略図である。図８は、図５に示す状況から洗浄水を流した場合の、器具排水管５０及び排水横枝管５１の内部の様子を示す概略図である。
【００５５】
小便器ＵＳに排尿すると、ボウル部２０１のボウル壁面２０２に尿流が当たり、ボウル壁面２０２を伝って尿が排水口２０３から下流に流れる。図５の（Ａ）に示されるように、排水口２０３に入った尿Ｕｒは矢印Ａに沿ってトラップ部ＴＰに流れ込む。トラップ部ＴＰは、第一溜水領域である溜水部ＴＰｓｕに尿が流れ込みやすく、第二溜水領域である溜水部ＴＰｓｗに尿が流れ込み難いように形成されている。従って、矢印Ａに沿ってトラップ部ＴＰに流れ込んだ尿Ｕｒは、第一流入口としての上流接続部ＴＰａｕの上端開口から上流接続部ＴＰａｕへと流れ込む。続いて、図５の（Ｂ）に示されるように、尿Ｕｒの流入によって溜水Ｗｓｕが下流あふれ部ＴＰｅｕへと押し流される。
【００５６】
続いて、図５の（Ｃ）に示されるように、溜水Ｗｓｕは完全に押し流されて、トラップ部ＴＰの内側の流路である、上流接続部ＴＰａｕ，溜水部ＴＰｓｕ，下流あふれ部ＴＰｅｕ内は尿Ｕｒによって満たされる。排尿が終了すると、図５の（Ｄ）に示されるように、溜水部ＴＰｓｕに尿Ｕｒが残存する。図５の（Ａ）から（Ｄ）に示した状況は、図４の時刻ｔ１から時刻ｔ２に相当する。
【００５７】
図５の（Ｂ）に示したように溜水Ｗｓｕが矢印Ｂ方向に押し流されると、図６の（Ａ）に示されるように、器具排水管５０に流れ込む。器具排水管５０は排水横枝管５１に繋がっているので、溜水Ｗｓｕは排水横枝管５１に流れ込む。図５の（Ｂ）では、排尿によって流れ込む尿Ｕｒに押し出されて溜水Ｗｓｕが下流側に流出しているので、その流れる速度は比較的緩やかなものであって、瞬間流量は少ないものである。従って、溜水Ｗｓｕは排水横枝管５１に流れ込んでも、上流側Ｆに流れることはなく、下流側Ｅに流れていく。
【００５８】
図６の（Ｂ）に示されるように、溜水Ｗｓｕに続いて尿Ｕｒが流れ込んでも、やはりその流れる速度は比較的緩やかなものであって、瞬間流量は少ないものである。従って、尿Ｕｒは排水横枝管５１に流れ込んでも、上流側Ｆに流れることはなく、下流側Ｅに流れていく。
【００５９】
続いて、図４の時刻ｔ３から時刻ｔ４に示すように、制御部１０２から電磁弁１０３を全開する制御信号「１」が出力されると、電磁弁１０３が全開され洗浄水がスプレッダー３５からボウル部２０１のボウル壁面２０２に沿って流れる。ボウル壁面２０２を伝って洗浄水が排水口２０３から下流に流れる。図７の（Ａ）に示されるように、排水口２０３に入った洗浄水Ｗｆは矢印Ａに沿ってトラップ部ＴＰに流れ込む。トラップ部ＴＰでは、第一溜水領域である溜水部ＴＰｓｕにも第二溜水領域である溜水部ＴＰｓｗにも洗浄水Ｗｆが流れ込むように構成されている。従って、第一流入口である上流接続部ＴＰａｕの上端開口からも、第二流入口である上流接続部ＴＰａｗの上端開口からも洗浄水Ｗｆが流れ込む。
【００６０】
続いて、図７の（Ｂ）に示されるように、洗浄水Ｗｆの流入によって、溜水部ＴＰｓｕに溜まっていた尿Ｕｒが、下流あふれ部ＴＰｅｕへと押し流される。また、洗浄水Ｗｆの流入によって、溜水部ＴＰｓｗに溜まっていた溜水Ｗｓｗが、下流あふれ部ＴＰｅｗへと押し流される。下流あふれ部ＴＰｅｕと下流あふれ部ＴＰｅｗとは下流部分において合流しているので、溜水部ＴＰｓｕに溜まっていた尿Ｕｒを溜水部ＴＰｓｗに溜まっていた溜水Ｗｓｗとが混合される。このように混合され希釈された希釈尿Ｕｒｄは、矢印Ｂ方向に流れて器具排水管５０へと流出する。
【００６１】
続いて、図７の（Ｃ）に示されるように、尿Ｕｒは完全に押し流されて、トラップ部ＴＰ内は洗浄水Ｗｆによって満たされる。このように洗浄が終了すると、図７の（Ｃ）に示されるように、溜水部ＴＰｓｗに洗浄水Ｗｆが溜水Ｗｓｗとして残存すると共に、溜水部ＴＰｓｕに洗浄水Ｗｆが溜水Ｗｓｕとして残存する。図７の（Ａ）から（Ｃ）に示した状況は、図４の時刻ｔ３から時刻ｔ４に相当する。
【００６２】
図７の（Ｂ）に示したように希釈尿Ｕｒｄが矢印Ｂ方向に押し流されると、図８の（Ａ）に示されるように、器具排水管５０に流れ込む。器具排水管５０は排水横枝管５１に繋がっているので、希釈尿Ｕｒｄは排水横枝管５１に流れ込む。図７の（Ｂ）では、洗浄水Ｗｆに押し出されて希釈尿Ｕｒｄが下流側に流出しているので、その流れる速度は比較的速いものであって、瞬間流量は多いものである。従って、希釈尿Ｕｒｄは排水横枝管５１に流れ込むと、上流側Ｆと下流側Ｅとに分かれる。
【００６３】
更にトラップ部ＴＰに洗浄水Ｗｆが流入すると、その下流側である器具排水管５０から排水横枝管５１にも、洗浄水Ｗｆが流れ込む。図８の（Ｂ）に示されるように、比較的瞬間流量の多い洗浄水Ｗｆが流れ込むと、希釈尿Ｕｒｄを上流側Ｆに逆流した希釈尿Ｕｒｄ１と下流側Ｅに流れた希釈尿Ｕｒｄ２とに分断する。
【００６４】
洗浄水Ｗｆの供給が終了すると、図８の（Ｃ）に示されるように、洗浄水Ｗｆは下流側Ｅに流れた希釈尿Ｕｒｄ２と共に下流側Ｅへと流れていく。そのため、上流側Ｆに逆流した希釈尿Ｕｒｄ１は洗浄水Ｗｆに流されることなく取り残される。残留した希釈尿Ｕｒｄ１は、排水横枝管５１の内側管壁に付着して停滞することなく流れる場合もあれば、図８の（Ｄ）に示されるように排水横枝管５１の内側管壁に付着して停滞する場合もある。図８の（Ｄ）に示されるように、希釈尿Ｕｒｄ１が残留してもその尿濃度が低いため、排水横枝管５１への尿石の発生を著しく低減することができる。
【００６５】
本実施形態のトラップ部ＴＰの変形例について説明する。図９は、第一変形例としてのトラップ部ＴＰ１の外観を示す概略斜視図である。図１０は、図９の矢印Ｇ方向から見た概略平面図である。図９及び図１０に示されるように、トラップ部ＴＰ１は、外筒６０と内筒７０とを備えている。外筒６０の下端からは排水筒８０が延出している。外筒６０と内筒７０との間には空間が形成されるように、内筒７０の外径は外筒６０の内径よりも十分小さくなるように構成されている。外筒６０と内筒７０との間の空間を二つに分けるように、一対のリブ６０１が立てられている。リブ６０１は、外筒６０と内筒７０との間の空間を二つに分割する。このように二つに分割された一方の空間（流路断面積が小さい空間）は、第一溜水領域を含むように形成され上流接続部ＴＰ１ａｕとなっており、他方の空間（流路断面積が大きい空間）は、第二溜水領域を含むように形成され上流接続部ＴＰ１ａｗとなっている。
【００６６】
図１０のＩ−Ｉ断面を図１１に断面図として示す。図１１に示されるように、トラップ部ＴＰ１は、外筒６０と、内筒７０と、排水筒８０とによって構成されている。外筒６０は、略円形の底板６０２と、底板６０２の外周から一方向に立ち上がるように形成される円筒状の側板６０３とを備えている。内筒７０は、略円形の天板７０１と、天板７０１の外周から一方向に立ち上がるように形成される円筒状の側板７０２とを備えている。外筒６０の底板６０２の外周よりも、内筒７０の天板７０１の外周が小さくなるように形成されている。
【００６７】
外筒６０の側板６０３によって囲まれた空間に、内筒７０が収められるように配置されている。外筒６０に内筒７０を収める際には、内筒７０の側板７０２が外筒６０の底板６０２に向かうように配置される。内筒７０の天板７０１が、外筒６０の側板６０３の先端部分に位置し、その位置が保持可能なように内筒７０はリブ６０１（図１０参照）に嵌め合わされている。この位置に内筒７０が保持されていると、内筒７０の側板７０２の先端は、外筒６０の底板６０２とは離隔している。
【００６８】
外筒６０の底板６０２には穴が形成されており、この穴の内周に密着しつつ貫通するように排水筒８０が設けられている。排水筒８０は、外筒６０の底板６０２を貫通し、その先端が内筒７０の側板７０２に囲まれた空間内に入るように配置されている。この位置に排水筒８０が保持されていると、排水筒８０の先端は、内筒７０の天板７０１とは離隔している。
【００６９】
上述したように外筒６０と内筒７０と排水筒８０とが組み合わされることで、外筒６０の側板６０３と内筒７０の側板７０２との間、内筒７０の側板７０２の先端と外筒６０の底板６０２との間、内筒７０の側板７０２と排水筒８０との間、のそれぞれに空間が形成され、この空間が封水を行うための溜水部を形成する。
【００７０】
より具体的にトラップ部ＴＰの機能的な構成について説明を加える。トラップ部ＴＰは、流路断面が大きい図中左側の流路（図３の外側の流路に相当する）と、流路断面が小さい図中右側の流路（図３の内側の流路に相当する）とを備えている。左側の流路は上流側から順に、上流接続部ＴＰ１ａｗと、上流封水部ＴＰ１ｂｗと、底部ＴＰ１ｃｗと、下流封水部ＴＰ１ｄｗと、下流あふれ部ＴＰ１ｅとを備えている。右側の流路は上流側から順に、上流接続部ＴＰ１ａｕと、上流封水部ＴＰ１ｂｕと、底部ＴＰ１ｃｕと、下流封水部ＴＰ１ｄｕと、下流あふれ部ＴＰ１ｅとを備えている。
【００７１】
まず図中左側の流路について説明する。上流接続部ＴＰ１ａｗは、ボウル部２０１の排水口２０３に繋がる部分である。矢印Ａの上流側に排水口２０３が繋がっており、ボウル部２０１から排水口２０３に流れ込んだ尿や洗浄水は矢印Ａに沿って上流接続部ＴＰ１ａｗに流れ込む。
【００７２】
上流封水部ＴＰ１ｂｗ、底部ＴＰ１ｃｗ、及び下流封水部ＴＰ１ｄｗは、水が溜まるようにＵ字状を成すように形成されている。上流接続部ＴＰ１ａｗから流れ込んだ水は、下流あふれ部ＴＰ１ｅの上端内壁面であるウェアＷよりも下側に溜まるように構成されている。このトラップ部ＴＰ１の封水深は、ウェアＷと、底部ＴＰ１ｃｗの上側内壁面であるディップＤとの間の鉛直方向の長さである。従って、上流封水部ＴＰ１ｂｗに溜まる上流封水と、下流封水部ＴＰ１ｄｗに溜まる下流封水とによって封水が形成されている。
【００７３】
トラップ部ＴＰの説明と同様に説明すると、底部ＴＰ１ｃｗに溜まる底溜水と、上流封水及び下流封水とを合わせて、トラップ部ＴＰ１の左側流路における溜水Ｗｓｗとなる。また、この溜水Ｗｓｗを溜める部分である、上流封水部ＴＰ１ｂｗと底部ＴＰ１ｃｗと下流封水部ＴＰ１ｄｗとによって溜水部ＴＰ１ｓｗ（第二溜水領域）を形成している。本実施形態において、溜水Ｗｓｗの水量は、約７５ｍＬとなるように形成されている。
【００７４】
続いて、図中右側の流路について説明する。上流接続部ＴＰ１ａｕは、ボウル部２０１の排水口２０３に繋がる部分である。矢印Ａ´の上流側に排水口２０３が繋がっており、ボウル部２０１から排水口２０３に流れ込んだ尿や洗浄水は矢印Ａ´に沿って上流接続部ＴＰ１ａｕに流れ込む。このトラップ部ＴＰ１を配置するにあたっては、ボウル部２０１を伝った尿が、矢印Ａ´方向から入り込むように配置することが好ましい。その場合、ボウル部２０１の形状を、尿が矢印Ａ´方向から主に入り込むように形成することも好ましい。
【００７５】
上流封水部ＴＰ１ｂｕ、底部ＴＰ１ｃｕ、及び下流封水部ＴＰ１ｄｕは、水が溜まるようにＵ字状を成すように形成されている。上流接続部ＴＰ１ａｕから流れ込んだ水は、下流あふれ部ＴＰ１ｅの上端内壁面であるウェアＷよりも下側に溜まるように構成されている。封水深は、ウェアＷと、底部ＴＰ１ｃｕの上側内壁面であるディップＤとの間の鉛直方向の長さである。従って、上流封水部ＴＰ１ｂｕに溜まる上流封水と、下流封水部ＴＰ１ｄｕに溜まる下流封水とによって封水が形成されている。
【００７６】
トラップ部ＴＰの説明と同様に説明すると、底部ＴＰ１ｃｕに溜まる底溜水と、上流封水及び下流封水とを合わせて、トラップ部ＴＰ１の右側流路における溜水Ｗｓｕとしている。また、この溜水Ｗｓｕを溜める部分である、上流封水部ＴＰ１ｂｕと底部ＴＰ１ｃｕと下流封水部ＴＰ１ｄｕとによって溜水部ＴＰ１ｓｕ（第一溜水領域）を形成している。本実施形態において、溜水Ｗｓｕの水量は、約２５ｍＬとなるように形成されている。
【００７７】
本実施形態において溜水Ｗｓｗと溜水Ｗｓｕとの総量は約１００ｍＬとなるように形成されており、０．５Ｌ程度の少水量でも洗浄が可能となっている。尚、節水型ではない通常のタイプのトラップでは、溜水量が約４００〜６００ｍＬであり、洗浄水量は約１．４Ｌであるので、本例のトラップ部ＴＰ１は極めて節水性が向上したものとなっている。
【００７８】
このようにトラップ部ＴＰ１を形成すると、トラップ部ＴＰと同様に尿を実質的に分離して、溜水部ＴＰ１ｓｕに溜めることができ、溜水部ＴＰ１ｓｗに溜められる水によって希釈して排出することができる。
【００７９】
続いて、本実施形態のトラップ部ＴＰの第二変形例について説明する。図１２は、第二変形例としてのトラップ部ＴＰ２の外観を示す概略斜視図である。図１３は、図１２に示すトラップ部ＴＰ２を小便器本体２０に取り付けた小便器ＵＳ２の外観斜視図である。図１２に示されるように、トラップ部ＴＰ２は、３本のＵ字状トラップを組み合わせて形成されている。トラップ部ＴＰ２は、Ｕ字状のトラップ部分ＴＰ２Ｕと、同じくＵ字状を成す一対のトラップ部分ＴＰ２Ｗ，ＴＰ２Ｗとを備えている。
【００８０】
トラップ部分ＴＰ２Ｕとトラップ部分ＴＰ２Ｗとトラップ部分ＴＰ２Ｗとは、それぞれが独立した流入口を持ち、それぞれが独立した流路を持つものとして形成されている。
【００８１】
トラップ部分ＴＰ２Ｕは、上流接続部ＴＰ２ａｕと、溜水部ＴＰ２ｓｕとを備えている。トラップ部分ＴＰ２Ｗは、上流接続部ＴＰ２ａｗと、溜水部ＴＰ２ｓｗとを備えている。トラップ部分ＴＰ２Ｕの溜水部ＴＰ２ｓｕの下流側、トラップ部分ＴＰ２Ｗ，ＴＰ２Ｗそれぞれの溜水部ＴＰ２ｓｗの下流側は、共通の下流あふれ部ＴＰ２ｅに繋がっている。従って、上流接続部ＴＰ２ａｕの上端開口部（第一流入口）から流れ込んだ尿や洗浄水は、溜水部ＴＰ２ｓｕを通って下流あふれ部ＴＰ２ｅに流れ込む。また、上流接続部ＴＰ２ａｗの上端開口部（第二流入口）から流れ込んだ洗浄水は、溜水部ＴＰ２ｓｗを通って下流あふれ部ＴＰ２ｅに流れ込む。
【００８２】
図１３に示されるように、上流接続部ＴＰ２ａｗは、ボウル部２０１の排水口を覆う目皿２０４ａに繋がる部分である。また、上流接続部ＴＰ２ａｕも、ボウル部２０１の排水口を覆う目皿２０４ａに繋がる部分である。上流接続部ＴＰ２ａｕは、小便器本体２０の幅方向の中央近傍であって、奥のボウル壁面２０２側に配置されている。一方、上流接続部ＴＰ２ａｗと上流接続部ＴＰ２ａｗとは、小便器本体２０の幅方向において上流接続部ＴＰ２ａｕを挟むように配置されている。上流接続部ＴＰ２ａｗと上流接続部ＴＰ２ａｗとは、上流接続部ＴＰ２ａｕを挟んで、奥のボウル壁面２０２とは反対側、すなわち前方よりに配置されている。
【００８３】
第二溜水領域としての溜水部ＴＰ２ｓｗが溜める溜水の水量は、２本のトラップ部分ＴＰ２Ｗ合計で、約７５ｍＬとなるように形成されている。一方、第一溜水領域としての溜水部ＴＰ２ｓｕが溜められる溜水の水量は、約２５ｍＬとなるように形成されている。
【００８４】
この変形例の場合、トラップ部分ＴＰ２Ｕ、トラップ部分ＴＰ２Ｗ、トラップ部分ＴＰ２Ｗそれぞれの形状を異ならせることで、それぞれの内部を通過する水の速度や瞬間流量を変化させることができる。そのため、トラップ部分ＴＰ２Ｕに流れ込んだ尿を確実に希釈するように構成することが可能となる。
【００８５】
このトラップ部ＴＰ２を配置するにあたっては、ボウル部２０１を伝った尿が、主にトラップ部分ＴＰ２Ｕに流れ込むように配置することが好ましい。その場合、ボウル部２０１の形状を、尿がトラップ部分ＴＰ２Ｕに主に入り込むように形成することも好ましい。
【００８６】
本実施形態において溜水部ＴＰ２ｓｕに溜められる溜水量と溜水部ＴＰ２ｓｗ，ＴＰ２ｓｗそれぞれに溜められる溜水量との総量は約１００ｍＬとなるように形成されており、０．５Ｌ程度の少水量でも洗浄が可能となっている。尚、節水型ではない通常のタイプのトラップでは、溜水量が約４００〜６００ｍＬであり、洗浄水量は約１．４Ｌであるので、本例のトラップ部ＴＰ２は極めて節水性が向上したものとなっている。
【００８７】
このようにトラップ部ＴＰ２を形成すると、トラップ部ＴＰやトラップ部ＴＰ１と同様に尿を実質的に分離して、溜水部ＴＰ２ｓｕに溜めることができ、溜水部ＴＰ２ｓｗに溜められる水によって希釈して排出することができる。
【００８８】
上述したように本実施形態に係る小便器ＵＳは、トイレに設置され、器具排水管５０によって排水横枝管５１に接続される小便器である。小便器ＵＳは、（１）尿流を受けるボウル部２０１と、このボウル部２０１の底部に開口した排水口２０３と、この排水口２０３に連通し封水を形成するトラップ部ＴＰ（トラップ部ＴＰ１，トラップ部ＴＰ２）と、を有する小便器本体２０と、（２）ボウル部２０１に洗浄水Ｗｆを供給するための給水手段としての給水管３０，３１とを備えている。
【００８９】
トラップ部ＴＰは、封水を形成するために水を溜める第一溜水領域である溜水部ＴＰｓｕと第二溜水領域である溜水部ＴＰｓｗとを有し、溜水部ＴＰｓｕと溜水部ＴＰｓｗとは流路に沿って並行するように形成されており、溜水部ＴＰｓｕは、ボウル部２０１が受けた尿Ｕｒが流入して下流側へと流出し、ボウル部２０１に供給された洗浄水Ｗｆも流入して下流側へと流出するように構成されている。溜水部ＴＰｓｗは、ボウル部２０１が受けた尿Ｕｒが溜水部ＴＰｓｕに比較して流入し難い一方で、ボウル部２０１に供給された洗浄水Ｗｆは流入して下流側へと流出するように構成されている。
【００９０】
本実施形態に係る小便器ＵＳでは、トラップ部ＴＰに封水を形成するために水を溜める第一溜水領域である溜水部ＴＰｓｕと第二溜水領域である溜水部ＴＰｓｗとを形成しているので、ボウル部２０１からトラップ部ＴＰに流れ込む尿Ｕｒや洗浄水Ｗｆを溜水部ＴＰｓｕと溜水部ＴＰｓｗとで受け入れることができる。
【００９１】
溜水部ＴＰｓｕはボウル部２０１が受けた尿Ｕｒが流入するように構成されている一方で、溜水部ＴＰｓｗはボウル部２０１が受けた尿Ｕｒが溜水部ＴＰｓｕに比較して流入し難いように構成されているので、ボウル部２０１が受けた尿流の大部分若しくは全てが溜水部ＴＰｓｕに溜められる。溜水部ＴＰｓｕは、ボウル部２０１が受けた尿流の大部分が流入し、その流入した尿Ｕｒは下流側へと流出するように構成されているので、流入する尿の総量が溜水部ＴＰｓｕの溜水量を上回っても溜水部ＴＰｓｗに流れ込みにくいように構成することができる。
【００９２】
溜水部ＴＰｓｗは、ボウル部２０１が受けた尿Ｕｒも流入し難いように構成されると共に、溜水部ＴＰｓｕに流入した尿Ｕｒが流れ込みにくいようにも構成されているので、ボウル部２０１に供給された洗浄水Ｗｆが流入してそのまま下流側へと流出するように構成されている。
【００９３】
よって本実施形態に係る小便器ＵＳでは、尿Ｕｒが主に溜められる第一溜水領域としての溜水部ＴＰｓｕと洗浄水Ｗｆが主に溜められる第二溜水領域としての溜水部ＴＰｓｗとを分離することで、トラップ部ＴＰ全体の溜水量を低減させても尿Ｕｒと洗浄水Ｗｆとを並存させて溜めることが可能になる。このように尿Ｕｒと洗浄水Ｗｆとを並存させて溜めることで、排尿後にボウル部２０１に洗浄水Ｗｆを供給すると、溜水部ＴＰｓｕから流出する尿Ｕｒと溜水部ＴＰｓｗから流出する洗浄水Ｗｆとが排水横枝管５１に至る前に混ぜ合わされる（図７の（Ｂ）及び図８の（Ａ）参照）。従って、排水横枝管５１に流れ込む排水の初期段階から尿濃度を抑制することができ、節水性能は確保しつつも、排水横枝管５１内における尿石の発生を抑制することが可能な小便器ＵＳを提供することができる。尚、トラップ部ＴＰ１，ＴＰ２もトラップ部ＴＰと対応する部位の作用によって同様の作用効果を奏することができる。以下、特に断らない限りにおいて同様である。
【００９４】
また本実施形態に係る小便器ＵＳでは、給水手段としての給水管３０，３１からボウル部２０１に洗浄水Ｗｆが供給される場合に、溜水部ＴＰｓｕから下流側に排出される瞬間排水量よりも、溜水部ＴＰｓｗから下流側に排出される瞬間排水量が上回るように、溜水部ＴＰｓｕ及び溜水部ＴＰｓｗが形成されている。従って、溜水部ＴＰｓｕから下流側に流出する尿Ｕｒの瞬間流量よりも、溜水部ＴＰｓｗから下流側に流出する洗浄水Ｗｆの瞬間流量を十分に多くすることができ、尿濃度を十分に低減した排水を排水横枝管５１に流入させることができる。
【００９５】
また本実施形態に係る小便器ＵＳでは、溜水部ＴＰｓｕに供給される瞬間給水量よりも溜水部ＴＰｓｗに供給される瞬間給水量が上回るように、溜水部ＴＰｓｕ及び溜水部ＴＰｓｗが形成されている。具体的には、溜水部ＴＰｓｕの入口開口面積よりも、溜水部ＴＰｓｗの入口開口面積が大きくなるように、流路断面積を異ならせている。従って、瞬間給水量に差が生じるように構成するという簡単な手法で瞬間排水量の差を生じさせることができる。
【００９６】
また本実施形態に係る小便器ＵＳでは、トラップ部ＴＰは、溜水部ＴＰｓｕに繋がる第一流入口（上流接続部ＴＰａｕの上端開口部）と溜水部ＴＰｓｗに繋がる第二流入口（上流接続部ＴＰａｗの上端開口部）とを有し、第一流入口は、ボウル部２０１が受けた尿流が流入し、ボウル部２０１に供給された洗浄水Ｗｆも流入する位置に形成され、第二流入口は、ボウル部２０１が受けた尿流が溜水部ＴＰｓｕに比較して流入し難い一方で、ボウル部２０１に供給された洗浄水Ｗｆは流入する位置に形成されている。
【００９７】
このように、溜水部ＴＰｓｕに繋がる第一流入口（上流接続部ＴＰａｕの上端開口部）はボウル部２０１が受けた尿流が流入すると共に洗浄水Ｗｆも流入する位置に形成されている。従って、第一流入口の形成位置を工夫することによって容易に、溜水部ＴＰｓｕを尿が流入しやすい領域とすることができる。また、溜水部ＴＰｓｗに繋がる第二流入口（上流接続部ＴＰａｗの上端開口部）はボウル部２０１が受けた尿流が流入し難い一方で洗浄水Ｗｆは流入する位置に形成されている。従って、第二流入口の形成位置を工夫することによって容易に、溜水部ＴＰｓｗを尿Ｕｒが流入し難い領域とすることができる。従って、第一流入口及び第二流入口の形成位置を工夫するという簡単な手法で、上流接続部ＴＰａｕを尿が流入しやすい領域とする一方で溜水部ＴＰｓｗを尿が流入し難い領域とすることができる。
【００９８】
また本実施形態に係る小便器ＵＳでは、溜水部ＴＰｓｕに繋がる第一流入口（上流接続部ＴＰａｕの上端開口部）が溜水部ＴＰｓｗに繋がる第二流入口（上流接続部ＴＰａｗの上端開口部）よりも使用者側から見てボウル部２０１側に形成されている。このように、第一流入口が第二流入口よりも使用者側から見てボウル部２０１側に形成されているので、ボウル部２０１側から流れる液体を流入させやすい位置に第一流入口を形成することができる。従って、ボウル部２０１を伝って流れ落ちる尿Ｕｒを第一流入口に流入させやすくなる。このように、第一流入口をボウル部２０１側に形成するという簡単な手法で、溜水部ＴＰｓｕを尿Ｕｒが流入しやすい領域とする一方で溜水部ＴＰｓｗを尿Ｕｒが流入し難い領域とすることができる。
【００９９】
また本実施形態に係る小便器ＵＳでは、溜水部ＴＰｓｕに繋がる第一流入口（上流接続部ＴＰａｕの上端開口部）が溜水部ＴＰｓｗに繋がる第二流入口（上流接続部ＴＰａｗの上端開口部）よりも使用者側からボウル部２０１側を見た場合の幅方向中央側に形成されている。
【０１００】
使用者は排尿時にボウル部２０１の正面中央に立って、ボウル部２０１の中央近傍に向かって排尿する。従ってボウル部２０１の中央近傍では多くの尿流を受け止めることになり、その尿がボウル部２０１の表面を伝って下方へ流れる。そこで、尿Ｕｒが流れ込みやすい幅方向中央側に第一流入口を形成することで、確実に尿Ｕｒを第一流入口へと導くように構成している。このように構成することで、第二流入口には尿Ｕｒが流れ込みにくい一方で第一流入口には尿Ｕｒを流れ込みやすくすることができ、溜水部ＴＰｓｗの尿濃度の上昇を抑制することができる。
【０１０１】
また本実施形態に係る小便器ＵＳ２では、給水管３０，３１からボウル部２０１に洗浄水Ｗｆが供給される場合に、溜水部ＴＰｓｕから下流側に排出される排水よりも、溜水部ＴＰｓｗから下流側に排出される排水が先に送り出されるように、トラップ部分ＴＰ２Ｕやトラップ部分ＴＰ２Ｗが形成されていることも好ましい。
【０１０２】
このように構成すれば、溜水部ＴＰ２ｓｕから下流側に排出される排水よりも、溜水部ＴＰ２ｓｗから下流側に排出される排水が先に送り出されるので、溜水部ＴＰ２ｓｕから流出する尿Ｕｒを溜水部ＴＰ２ｓｗから流出する洗浄水Ｗｆによって確実に希釈しながら排水横枝管５１に流すことができる。
【０１０３】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１０４】
ＵＳ：小便器
ＷＬ：壁面
１０：給水ユニット
１０１：人感センサー
１０２：制御部
１０３：電磁弁
２０：小便器本体
２０１：ボウル部
２０２：ボウル壁面
２０３：排水口
２０４：目皿
３０：給水管
３１：給水管
３５：スプレッダー
４０：建築側給水管
５０：器具排水管
５１：排水横枝管
ＴＰ：トラップ部
ＴＰａｗ，ＴＰａｕ：上流接続部
ＴＰｂｗ，ＴＰｂｕ：上流封水部
ＴＰｃｗ，ＴＰｃｕ：底部
ＴＰｄｗ，ＴＰｄｕ：下流封水部
ＴＰｅｗ，ＴＰｅｕ：下流あふれ部
ＴＰｓｗ：溜水部（第二溜水領域）
Ｔｐｓｕ：溜水部（第一溜水領域）
Ｗｗ，Ｗｕ：ウェア
Ｄｗ，Ｄｕ：ディップ
Ｗｄｗ，Ｗｄｕ：封水深
ＷＳ１ｗ，ＷＳ１ｕ：上流封水
ＷＳ２ｗ，ＷＳ２ｕ：底溜水
ＷＳ３ｗ，ＷＳ３ｕ：下流封水
Ｕｒ：尿
Ｗｓｗ，Ｗｓｕ：溜水
Ｗｆ：洗浄水
【図１】
2011252337.tif 000003
【図２】
2011252337.tif 000004
【図３】
2011252337.tif 000005
【図４】
2011252337.tif 000006
【図５】
2011252337.tif 000007
【図６】
2011252337.tif 000008
【図７】
2011252337.tif 000009
【図８】
2011252337.tif 000010
【図９】
2011252337.tif 000011
【図１０】
2011252337.tif 000012
【図１１】
2011252337.tif 000013
【図１２】
2011252337.tif 000014
【図１３】
2011252337.tif 000015